(57)【要約】      （修正有）【課題】使用・着用中に模様や絵柄更にアップリケ並びに装飾品などの変形や形崩れ更に歪みを防止し、これによって、ファッション性を著しく向上、維持し、使用の際に異和感が全くない、履き心地が著しく優れた履物類を提供する。【解決手段】靴下、インナーソックス、室内用履物、足袋又は携帯用履物などの履物類１Ａであって、この履物類において、上身頃３は非伸縮性の素材で形成されており、又、下身頃４はその少なくとも１部が、面に沿った多方向に伸縮性を有する素材で形成されており、しかも履口２を形成する周縁部２ａには、その少なくとも１部が更に高い伸縮性を有する。  特に、足の略全体を被う底の浅い室内用履物において、爪先を二股に形成し、上身頃を和風の風合いがある絵柄や模様を付した生地で形成した。【選択図】図１
2006249586.tif 000002
【特許請求の範囲】
【請求項１】
靴下、インナーソックス、室内用履物、足袋又は携帯用履物などの履物類であって、この履物類において、上身頃は非伸縮性の素材で形成されており、又、下身頃はその少なくとも１部が、面に沿った多方向に伸縮性を有する素材で形成されており、しかも履口を形成する周縁部には、その少なくとも１部が更に高い伸縮性を有することを特徴とする履物類。
【請求項２】
上身頃の一部が伸縮性を有する素材で形成されている請求項１に記載の履物類。
【請求項３】
下身頃においてその踵部に相当する部位が非伸縮性の素材で形成されている請求項１又は２に記載の履物類。
【請求項４】
上身頃と下身頃においてその互いの周縁部どうしが接合されている請求項１ないし３のいずれか１項に記載の履物類。
【請求項５】
上身頃が、和風調に染色された生地、和風模様が印刷された生地、和服生地、起毛された生地、起毛が固定された生地、網目生地、レース編物地、毛糸編物地、刺繍生地、タオル生地、天然皮革又は合成皮革、毛皮生地又は柔軟性の高い合成樹脂製シートのいずれかで形成されている請求項１ないし４のいずれか１項に記載の履物類。
【請求項６】
上身頃の上面、又は下身頃においてその踵部における後部立上り部には、アップリケ又は装飾品が取り付けられている請求項１ないし５のいずれか１項に記載の履物類。
【請求項７】
請求項１ないし６のいずれか１項に記載の履物類において、その指箇所が二股に形成されている履物類。
【請求項８】
請求項１ないし７のいずれか１項に記載の履物類には防臭・脱臭剤、植物エキス、抗菌剤、芳香剤又は遠赤外線照射機能を有する微粒子から選ばれた少なくとも１種の機能性物質が担持されている履物類。
【発明の詳細な説明】
【技術分野】
【０００１】
本発明は、下身頃には面に沿った多方向に伸縮性を付与して極めて優れた装着性を発現させると共に、各種サイズの足に至極適合するように形成したものであり、しかも、上身頃は非伸縮性の素材を用いることによって、使用中に模様、アップリケ又は装飾品などの変形や崩れを防止し、これによって、ファッション性を著しく向上、維持させる上、使用の際に異和感が全くなく、使用感に著しく優れる履物類に関する。
【背景技術】
【０００２】
履物のうち、例えば、市販されている靴下は、履口の周縁部に伸縮性を持たせて、装着後、当該靴下がずれ落ちないように工夫されている。又、装着性を更に向上させるために、底部の土踏まずの部分から甲に向けた部位に輪状に伸縮性を有するように形成された靴下が提案されており（特許文献１、特許文献２）、また伸縮性の程度が異なる複数の面が各所に形成されている靴下も提案されている（特許文献３）。一方、外反母趾を防ぐことを目的として、一部に伸縮性がある靴下も提案されている（特許文献４）。
【０００３】
インナーソックスは、装着後にずれないようにように、履口の周囲部に伸縮性があり、更に、装着性を向上させるため、全体に伸縮性を有する糸が使用されている履物も提案されている（特許文献５）。
【０００４】
和装用の足袋は、全体が非伸縮性の生地で形成され、その後部に、履口と連続する下方に向けた切欠き部が設けられ、この切欠き部の両縁部を重ね合わせて、こはぜ、ボタン、ファスナーなどの止め具で止着できるように構成されている。
【０００５】
そして、室内用履物には、主に、防寒用として使用するものと、旅行などで長時間、飛行機、列車又は自動車などの座席に座り続けるときなどに、靴と履き替えて、足の窮屈感を解放し、足の汚れと足の冷えを防止するために使用する携帯用履物とがある。
【０００６】
前者の室内用履物は、履物全体に伸縮性が無く、後者の室内用履物は、足に沿った着用ができるよに、全体に伸縮性があり、特に、履口の周縁部の伸縮性を大きくしている。
【０００７】
又、携帯用履物には、着用性を向上させるため、例えば、甲部幅方向に、幅方向の両端を固定した伸縮自在の止め紐を取付けたものが提案されている（特開平２−１３４００１号公報）。
【０００８】
【特許文献１】特開平９−２９６３０３号公報、
【特許文献２】特開２０００−１７５０３号公報
【特許文献３】特開平１０−３１０９０３号公報
【特許文献４】特開２００４−２５０７９６号公報
【特許文献５】特開２００２―１４６６０３号公報
【特許文献６】特開平２−１３４００１号公報
【発明の開示】
【発明が解決しようとする課題】
【０００９】
しかしながら、前記従来技術の靴下において、特許文献１、特許文献２及び特許文献３に記載の靴下は、足裏に相当する部位の伸縮方向が、装着感の向上を目的として、足裏の土踏まずに相当する面から甲部を囲む方向に伸縮性を有するが、足の踵から爪先方向に伸縮性を有していない。このため、着用を続け、又、洗濯と着用を繰り返すと、靴下が伸びて、靴下の前端部及び踵部にだぶつきが生じて、装着感を大きく低下させる。又、靴下は靴のように多種にサイズが分かれていないので、足にぴったり合わない場合もある。
【００１０】
又、特許文献５に記載の靴下は、インナーソックスでもあり、この靴下はその全体が全幅方向に伸縮性を有し、履口の周囲は更に高い伸縮性があるために、靴下の前端部及び踵部のだぶつきは生じないが、靴下全体が伸縮性を有しているために、使用中に、靴下の甲部（上身頃）における生地の模様や色模様が変形や崩れを発生し、ファッション性が著しく低下するのである。従って、ファッション性を高めるためには、用いられる生地によって大きく影響され、伸縮性の生地ではこれが大きく制限されるからである。このため、使用・着用者の満足感が極めて小さく、特に、日本の文化伝統を発揮するデザインの履物、上品な雰囲気、高級感を発揮するデザインの履物にするのが不可能であった。
【００１１】
これに対して、特許文献４に記載の靴下は、靴下の両側において前後方向に伸縮性があるため、靴下の前端部及び踵部において靴下にだぶつきが生じることはないが、甲部に前後幅の狭い伸縮生地が両側に向けて形成されているため、足の矯正用のイメージがあり、見栄えが悪く、足の甲部に高いファッション性を発揮させることにも制限が多いのである。
【００１２】
一方、従来技術の足袋は、着脱時に、こはぜ、ボタン、ファスナーなどの止め具で止着又は取り外しを行う操作が必要であるが、その操作が極めて面倒であり、また、従来の足袋は地味な無地色であるため、着物を着るとき以外の普段の生活で、足袋を着用することは殆どないのである。又、特許文献４に記載されているように、爪先部が二股の靴下も見られるが、日本の伝統文化の雰囲気を醸し出す足袋のイメージは無く、靴下の雰囲気が大きくイメージされ、野暮な雰囲気さえ与える場合もある。
【００１３】
更に、特許文献６に記載の携帯用履物は、着脱時に、止め紐を操作するのが面倒であり、止め紐の結び目が緩むと、使用中に足から脱げ外れることがある。
【００１４】
本発明は、従来の履物が有する課題を解消するために完成されたものである。
即ち、本発明は、靴下、室内用履物、インナーソックス、足袋又は携帯用履物などの室内外で使用できる履物類において、下身頃には面に沿った多方向に伸縮性を付与して極めて優れた装着性を発現すると共に、各種サイズの足にぴったり適合するものであり、しかも、上身頃は非伸縮性の素材で形成されているので、使用・着用中に模様や絵柄更にアップリケ並びに装飾品などの変形や崩れ更に歪みを防止し、これによって、ファッション性を著しく向上、維持し得る上、使用の際に異和感が全くない、履き心地が著しく優れた履物類を提供することを目的とする。
【課題を解決するための手段】
【００１５】
本発明の請求項１に記載の履物類においては、靴下、インナーソックス、室内用履物、足袋又は携帯用履物などの履物類であって、この履物類において、上身頃は非伸縮性の素材で形成されており、又、下身頃はその少なくとも１部が、面に沿った多方向に伸縮性を有する素材で形成されており、しかも履口を形成する周縁部には、その少なくとも１部が更に高い伸縮性を有することを特徴とするものである。
【００１６】
この請求項１に記載の履物類においては、当該履物において、上身頃は非伸縮性の素材で形成されており、又、下身頃はその少なくとも１部、好ましくは下身頃全体の５０〜１００％、特に、下身頃全体の７５〜１００％が、面に沿った多方向に伸縮性を有する素材で形成されている点、に最も大きな特徴を有するものである。従って、下身頃の全体（１００％）が、面に沿った多方向に伸縮性を有する素材で形成されているものが最も望ましい。
ここにおいて、「面に沿った多方向」とは面に沿った前後左右方向だけでなく、右斜め方向や左斜め方向等、あらゆる方向の意味であり、本発明においては、下身頃として、このような特殊な素材と、非伸縮性の上身頃との組み合わせによって、後述する種々の利点が得られるのである。この下身頃としては、例えばポリウレタン繊維（スパンデックス）、ウーリー繊維、コンジュゲート繊維、ストレッチ・ヤーン又はテックスチャード・ヤーン等の伸縮性繊維で形成された素材が挙げられる。
【００１７】
そして、請求項１に記載の履物類においては、このような特殊な下身頃を用いているから、足の裏全体に接触する部位と、当該下身頃の両側部を折り返して形成した足の両側に接触する部位とが、いずれも面に沿った多方向に伸縮性があるために、この履物類を足に装着すると、だぶつきが全く無い足全体にぴったり密着した状態となるのであり、又、履物類の底部が前後方向に伸縮するため、着用後、履物類の前部及び踵部にだぶつきが全く生じないのであり、更に、下身頃が、面に沿ったあらゆる方法に伸縮性があるために、足全体を包む着用が可能になる上、各種サイズの足にも異和感なく、良好な装着感を維持した状態で美麗に使用できるのである。このため、使用・着用性、つまり履き心地が極めて良好になるのであり、しかも、履口の周縁部には更に高い伸縮性があるために、装着後の履物類が使用中に脱げ外れることはないのである。
【００１８】
又、請求項１に記載の履物類においては、当該履物類の踵部の周りにも伸縮性があり、このため、この周りの面が足における踵部の後部で受け止められて、当該履物類が脱げ外れるのを一層防止することもできる。
【００１９】
更に、請求項１に記載の履物類においては、その上身頃が非伸縮性の素材で形成されているから、その表面に、粘度の高いインクや塗料による任意の絵柄や模様の転写更に刺繍等が可能になり、しかも使用・着用中に上身頃が簡単に変形やよじれ更に伸縮がなく、この結果、模様、アップリケ又は装飾品などの変形や崩れ更に歪みが防止され、これによって、ファッション性が著しく向上、維持されるのである。
【００２０】
また、このように、この履物類はファッション性が著しく優れ、しかも使用・着用中に上身頃の変形やよじれ更に伸縮がないので美麗に着用できる結果、当該履物類を室内だけでなく、車内や列車内更に機内等、室外においても何等抵抗なく使用できるのである。
特に、この場合、上身頃は、目立ち易い部位であり、デザインを工夫することによって、一層ファッション性が向上するのである。
ところで、ここにおいて、「非伸縮性の素材」とは、装着・着用性に影響する程度の伸縮性がない素材という意味である。
【００２１】
ところで、本発明の請求項２に記載の履物類においては、上身頃の一部が伸縮性を有する素材で形成されていても良いのである。
即ち、本発明の請求項１に記載の履物類においては、前述のように、上身頃を非伸縮性の素材で形成して、模様、アップリケ又は装飾品などの変形や崩れ更に歪みが防止され、これによって、ファッション性が著しく向上、維持されるようにしたものであるが、このように、ファッション性に悪影響を与えない範囲で、上身頃の一部を、面に沿った多方向に伸縮性を有する素材で形成して、装着性や履き心地を一層向上させても良いのである。
【００２２】
本発明の請求項３に記載の履物類においては、下身頃においてその踵部に相当する部位が非伸縮性の素材で形成されている発明を提案する。
このように下身頃においてその踵部に相当する部位、つまり踵部とその後部及び左右の立上り部を非伸縮性の素材で形成されたものも望ましい。
【００２３】
このように構成すると、下身頃においてその踵部に相当する部位が非伸縮性の素材で形成されているので、前記上身頃の場合のように、当該部位に多種、多様な色模様や絵柄の印刷・転写更に刺繍等の装飾処理を施したり、アップリケや装飾品を取り付けてファッション性を一層向上させることができる上、足の踵部の後面に沿っているので、履物類の装着・着用時に、この後端部を指先で摘まんで着用し易くなるのである。
【００２４】
更に、本発明の請求項４に記載の履物類においては、上身頃と下身頃においてその互いの周縁部どうしが接合されているものが望ましい。
【００２５】
このように構成すると、履物類の製造が容易になり、上身頃と下身頃とが全く別異の素材で形成されており、上身頃と下身頃においてその各々の機能に見合った最適な材料の選択ができるのである。即ち、材料選択の範囲が更に広がり、一層ファッション性を向上させることが可能になる。
【００２６】
本発明の請求項４に記載の履物類において、接合としては、具体的には、例えば縫合、縫着、接着、溶着又は融着等が挙げられるのであり、これらの選択は、使用する素材により異なるのである。
【００２７】
本発明の請求項５に記載の履物類において、上身頃としては、非伸縮性の素材で形成されていれば特に限定されるものではないが、具体的には、例えば和風調に染色された生地、和風模様が印刷された生地、和服生地、起毛された生地、起毛が固定された生地、網目生地、レース編物地、毛糸編物地、刺繍生地、タオル生地、天然皮革又は合成皮革、毛皮生地又は柔軟性の高い合成樹脂製シートのいずれかで形成されているものが挙げられる。
【００２８】
本発明において、前記上身頃を各種機能別に分類すると、以下のとおりである。
（ａ）上身頃として、和風調に染色された生地、和風模様が印刷された生地又は和服生地などを使用すると、日本の文化伝統調のおもむきやあじわいを十分に発揮させることができる上、ファッション性に富む履物類が得られるのである。
（ｂ）上身頃として、起毛された生地、起毛が固定された生地を使用すると、暖かく、履き心地が良好なうえ、愛らしい履物類が得られるのである。
（ｃ）上身頃として、網目生地を使用すると、現代的で野性味があり、しかも高い通気性と清涼感が得られる爽やかな夏向きの履物類が得られるのである。
（ｄ）上身頃として、レース編物地、毛糸編物地、刺繍された生地などを使用すると、上品な雰囲気とファッション性に富む履物類が得られるのである。
（ｅ）上身頃として、網目生地、レース編物地などを使用すると、高い通気性と清涼感が得られる爽やかな夏向きの履物類が得られるのである。
（ｆ）上身頃として、毛糸編物地を使用すると、暖かく、履き心地が良い履物類が得られるのである。
（ｇ）上身頃として、タオル生地を使用すると、耐久性に富み、しかも皮膚に優しく、吸湿性の良い、衛生的な履物類が得られるのである。
（ｈ）上身頃として、天然皮革又は合成皮革を使用すると、野性味のある高級感が存在し、丈夫で、耐久性に富む履物類が得られるのである。
（ｉ）上身頃として、毛皮生地を使用すると、更に、高級感があり、暖かく、履き心地が良い履物類が得られるのである。
（ｊ）柔軟性の高い合成樹脂製シートを使用すると、現代的で若者向きであり、しかも耐久性に優れた履物類が得られるのである。
【００２９】
これらの素材を非伸縮性の素材（所謂、裏地）の表面に積層、形成することも可能であり、このように構成する、（ｇ）を除く（ａ）〜（ｊ）に挙げた素材が足の皮膚に直接触れることにより生じ易い、足の蒸れ、皮膚のかぶれ、皮膚に残る素材の跡などを防ぐことができる。この場合の裏地としては、例えば、木綿生地やタオル地等の吸湿性、通気性、衛生性、履き心地の良い素材を用いることができる。
【００３０】
更に、本発明の請求項６に記載の履物類においては、上身頃の上面、又は下身頃においてその踵部における立上り部には、アップリケ又は装飾品が取り付けられているものが、当該履物類の装飾性やファッション性を向上させて使用者に満足感やいやしの感覚を付与するので望ましい。
【００３１】
特に、履物類においてその上身頃の上面は、装着・着用後、使用中において、目立ち易い部位であるため、この部位に、例えば、動物模様のアップリケ、小鳥のアップリケ、蝶のアップリケ、花のアップリケ、天使の羽のアップリケ等を取り付けると、装飾性やファッション性の高い愛らしい履物類になるのである。
【００３２】
又、この場合、ビーズやリボン更に動物や小動物更に花等の植物などの装飾品を取り付けても装飾性が向上するのであり、そして、この場合、特に、ビーズ、模造宝石の粒、模造貴金属の小片などを取り付けると、豪華な履物類が得られるのである。
【００３３】
そして、本発明の請求項７に記載の履物類においては、前述の履物類において、その指箇所が二股に形成されているものが望ましい。
【００３４】
本発明の請求項７に記載の履物類においてその指箇所の二股は、足の親指と他の指を区切るためのものであり、このような履物類にすると、足の指の窮屈感が相当程度緩和されて、足の指を楽にさせることができるのであり、また、立姿勢や歩行の際に、足の親指に力を入れ易くなるので、歩行の際の姿勢が安定化し、しかも指の蒸れが相当程度抑えられて衛生上も好ましいのである。
【００３５】
又、本発明の請求項８に記載の履物類においては、前述の履物類において、その全体又は一部には、防臭・脱臭剤、植物エキス、抗菌剤、芳香剤又は遠赤外線照射機能を発現する微粒子から選ばれた少なくとも１種の機能性物質が担持されているものが望ましい。
【００３６】
これらのうち、活性炭微粒子からなる防臭・脱臭剤を、繊維に脱落しないように固定し、この繊維で履物類を形成すると、当該履物類の装着・使用の際に、足の臭いや汗を吸着して衛生上極めて良好になるのである。ところで、この種、防臭・脱臭材料を繊維に脱落しないように固定する方法としては公知の技術を採用すれば良いのである。
【００３７】
又、本発明においては、前述の履物類において、その全体又は一部には、ヒノキチオールやとうがらしエキス等の植物エキス、抗菌剤、芳香剤又は遠赤外線照射機能を発現する微粒子から選ばれた少なくとも１種の機能性物質を担持すると、これらの機能性物質に対応する、リラクセーション効果の発現、更に抗菌・殺菌効果の発現に起因する衛生面の向上、更に、ラズベリー、ラベンダー、ミント、ヒノキ、ジャスミン、フェンネル又は白檀等の香りによるリラクセーション効果やいやし効果、又は遠赤外線照射効果などの各種機能に応じだ効果が得られるので望ましい。
【００３８】
これらのうち、遠赤外線照射機能を発現する微粒子を放出する材料としては、公知のものが挙げられるのであり、この遠赤外線照射機能を発現する微粒子が履物類に固定されていると、足の血行が促進されて当該足の冷えが抑えられるのである。
【００３９】
本発明の履物類においては、その上身頃として、和風調に染色された生地、和風模様が印刷された生地又は和服生地などを使用すると、日本の文化伝統調のおもむきやあじわいが発現する上、日本の伝統的なファッション性を発現し、その結果、純和風調の履物類となって性別に関係無く着用できたり、旅行などで長時間、飛行機、列車、自動車の座席に座り続けるときに、靴と履き替えて、足の窮屈感を解放し、足の冷えを防ぐ履物類として着用できたり、和風好みの人には、高い満足感を与えたり、周囲の人にも好印象を与えるのであり、従って、特に、日本人だけでなく、簡単に着脱できるので外国人へのみやげ品としても最適である。
【発明の効果】
【００４０】
本発明の請求項１に記載の履物類においては、前記構成を有し、上身頃は非伸縮性の素材で形成されており、又、下身頃はその少なくとも１部、特に、下身頃全体が、面に沿った多方向に伸縮性を有する素材で形成されており、しかも履口を形成する周縁部には、その少なくとも１部が更に高い伸縮弾性を有することを特徴とするものである。
【００４１】
そして、この請求項１の履物類において、その下身頃はその少なくとも１部、特に、下身頃全体が、面に沿った多方向に伸縮性を有する素材で形成されており、このような特殊な下身頃と非伸縮性の上身頃とを組み合わせて形成されているから、足の裏全体に接触する部位と、当該下身頃の両側部及び後部を折り返して形成した足の両側部及び後部に接触する部位とが、いずれも面に沿った多方向に伸縮性があるため、当該履物類を足に装着すると、足のあらゆる方向に全くだぶつきが無い足全体にぴったり密着した状態となり、又、使用・着用の際に、履物類の底部が前後方向に伸縮するため、履物類の前部及び踵部にだぶつきやよじれ更に歪みが生じることなく美麗に着用できるなどの効果を奏するのである。
【００４２】
又、この請求項１の履物類において、その下身頃が、面に沿ったあらゆる方法に伸縮性があるために、足全体を包む着用が可能になる上、各種サイズの足にも異和感なく、良好な装着感を維持した状態で美麗に着用できるのであり、このため、着用性、即ち、履き心地が極めて良好になるのであり、しかも、履口の周縁部には更に高い伸縮性があるために、装着後の履物類が使用中に脱げる方向にずれたり、外れることはないなどの効果を奏するのであるのである。
【００４３】
又、本発明の請求項１に記載の履物類においては、当該履物類の踵部の周りにも伸縮性があり、この周りの面が足における踵部の後部で受け止められるので、当該履物類が脱げる方向にずれたり、外れるのを一層防止することができる効果を奏するのである。
【００４４】
一方、本発明の請求項１に記載の履物類においては、その上身頃が非伸縮性の素材で形成されているから、その表面に、粘度の高いインクや塗料による任意の絵柄や模様の印刷・転写更に刺繍等が可能になり、しかも使用・着用中に上身頃が簡単に変形やよじれ更に伸縮することがなく、この結果、絵柄や模様更に刺繍の絵柄などの変形や崩れ更に歪みが防止され、これによって、使用中の美観が損なわれることが無いだけでなく、ファッション性が著しく向上、維持されるなどの効果を奏するのである。
【００４５】
また、本発明の請求項１に記載の履物類においては、このようにファッション性が著しく優れ、しかも使用・着用中に上身頃の変形やよじれ更に伸縮がないので、当該履物類を室内だけでなく、車内や列車内更に機内等、室外においても何等抵抗なく着用できるのであり、又特に、上身頃は、目立ち易い部位であり、デザインを工夫することによって、一層ファッション性が向上するなどの効果を奏するのである。
【００４６】
本発明の請求項２に記載の履物類においては、使用・着用中において、ファッション性に悪影響を与えない範囲で、上身頃の一部が伸縮性を有する素材で形成されていると、装着性や履き心地が一層向上するなどの効果を奏するのである。
【００４７】
本発明の請求項３に記載の履物類においては、下身頃においてその踵部に相当する部位、つまり踵部とその後部及び左右の立上り部が非伸縮性の素材で形成されていると、前記非伸縮性の上身頃の場合のように、当該部位に多種、多様な色模様や絵柄を印刷・転写したり、刺繍等の装飾処理を施してファッション性を一層向上させることができる上、足の踵部の後面に沿っているので、履物類の装着・着用時に、この後端上部を指先で摘まんでの装着が一層行い易くなるなどの効果を奏するのである。
【００４８】
本発明の請求項４に記載の履物類においては、上身頃と下身頃においてその互いの周縁部どうしが接合されていると、履物類の製造が容易になり、しかも上身頃と下身頃とが全く別異の素材で形成されており、上身頃と下身頃においてその各々の機能に見合った最適な材料の選択が自由にできるので、素材選択の範囲が更に広がり、ファッション性を一層向上させることができるなどの効果を奏するのである。
【００４９】
本発明の請求項５に記載の履物類においては、その上身頃として、和風調に染色された生地、和風模様が印刷された生地又は和服生地などを使用すると、日本の文化伝統調のおもむきやあじわいが発現する上、日本の伝統的なファッション性を発現し、その結果、純和風調の履物類となって性別、年令に関係無く広範の人が着用できたり、旅行などで長時間にわたって飛行機や列車更に自動車の座席に座り続けるとき等、靴と履き替えて、足の窮屈感を解放し、足の冷えを防ぐ履物類として着用できたり、和風好みの人には、高い満足感を与えたり、周囲の人にも好印象を与えることができるなどの効果を奏するのである。
【００５０】
本発明の請求項６に記載の履物類においては、上身頃の上面、又は下身頃においてその踵部における立上り部には、アップリケ又は装飾品が取り付けられているものが、当該履物類の装飾性やファッション性の高い愛らしいものになる上、使用者に満足感やいやしの感覚などを付与するなどの効果を奏するのである。
【００５１】
そして、本発明の請求項７に記載の履物類においては、前述の履物類において、その指箇所が二股に形成されていると、この指箇所の二股は、足の親指と他の指を区切るためのものであり、このような履物類においては、足の指の窮屈感が相当程度緩和されて、足の指を楽にさせることができるのであり、また、立姿勢や歩行の際に、足の親指に力を入れ易くなるので、歩行の際の姿勢が安定化し、しかも指の蒸れが相当程度抑えられて衛生性が向上するなどの効果を奏するのである。
【００５２】
又、本発明の請求項８に記載の履物類においては、前述の履物類において、その全体又は一部には、防臭・脱臭剤、植物エキス、抗菌剤、芳香剤又は遠赤外線照射機能を発現する微粒子から選ばれた少なくとも１種の機能性物質が担持されていると、この各種の機能性物質に応じて、足の臭いや汗を吸着して衛生上極めて良好になるのであり、又、植物エキスから発現するリラクセーション効果、或いは抗菌・殺菌効果の発現に起因する衛生面の向上を図ったり、更に、ラズベリー、ラベンダー、ミント、ヒノキ、ジャスミン、フェンネル又は白檀等に起因する香りやリラクセーション効果更にいやし効果を図ったり、並びに遠赤外線照射効果、つまり温熱によって足の血行を促進して当該足の冷えが防止されるなどの効果を奏するのである。
【発明を実施するための最良の形態】
【００５３】
以下、本発明を実施するための最良の形態を図面に基づいて具体的に説明するが、本発明は以下の実施例によって限定されるものではない。
【実施例１】
【００５４】
図１は、本発明の実施例１に係る室内用履物を示す斜視図であり、図２はその室内用履物を足に装着した状態を示す側面図である。
図１に示すように、この実施例１の室内用履物（以下、実施例１の履物、又は、この履物と略称する。）１Ａは、足Ｆ全体を被う底の浅い後半部開口の袋状に形成されており、その履口２が楕円形状に大きく形成されている。
【００５５】
そして、前記実施例１の履物１Ａにおいては、足Ｆの甲部を覆う上身頃３と、足Ｆの裏面全体及び足Ｆの両側部並びに踵後部Ｆａを覆う下身頃４とからなり、この上身頃３は縞馬模様の起毛生地で形成されており、図１に示すように、この下身頃４の前半部に上身頃３を重ね合わせ、その各々の周縁部を縫着、接合されており、しかも、前記上身頃３は非伸縮性の生地で形成されており、一方、下身頃４は、この場合、その全体が、黒色のポリウレタン繊維製生地で形成されて面に沿った多方向に伸縮性を有するもので形成されている。
【００５６】
そして、この実施例１の履物１Ａにおいて、前記下身頃４は、図１に示すように、後半部を折り返して，足Ｆの裏面全体に接触する部位４ａと、足Ｆの両側部並びに踵後部Ｆａにそれぞれ接触する部位４ｂ〜４ｄとからなる袋状に形成されている。
【００５７】
前記履口２は前記上身頃３の後端縁３ａと前記下身頃４の上端縁４ｅとを補強用ゴム紐で連続させて形成されており、この履口２の上端周縁部２ａは前記補強用ゴム紐の縫着により高い伸縮性を有するように構成されている。
【００５８】
このため、前記履口２を手で広げると、前記補強用ゴム紐と前記伸縮性下身頃４とが大きく広がり、足Ｆ全体を包む着用が可能になるうえ、図２に示すように、各種サイズの足Ｆにも異和感なく、良好な履き心地を維持した状態で美麗に着用できるのである。
【００５９】
そして、この場合、前記履物１Ａにおける足Ｆの踵後部Ｆａに接触する部位中央をＶ字形状にカットし、この両側の縁部を縫合５して、着用時に、足Ｆの踵箇所に皺がよらず、美麗に装着し得るように構成されている。
【００６０】
実施例１の履物１Ａは、前述のように構成されており、足Ｆに着用していない状態では、足の大きさよりも小さく縮んだ状態になっている。
尚、図１では、この履物１を縮んだ状態（自然な状態）で示している。
【００６１】
又、図２は実施例１の履物１Ａを足Ｆに着用した状態を示す側面図であり、図２に示すように、実施例１の履物１Ａを足Ｆに着用すると、伸縮性の下身頃４と履口２の上端周縁部２ａが大きく広がり、伸縮性の下身頃４の縮む方向の引っ張り力が働いて、この履物１Ａ全体が足Ｆの全体を包む。このとき、伸縮性の下身頃４における踵後部Ｆａに接触する部位４ｄが足Ｆの踵の後方に膨らんだ後面に係止された状態にあり、しかも、前記履口２の上端周縁部２ａに固定されているゴム紐が縮む方向に弾性力が働いているため、この履物１は不用意に脱げ外れることはないのである。
【実施例２】
【００６２】
次に、本発明の実施例２に係る室内用履物について説明する。
図３は本発明の実施例２に係る室内用履物１Ｂを示す斜視図である。
尚、図３において、図１と共通する個所には、図１に付されている符号と同一符号を付した。
【００６３】
図３に示すように、この実施例２の室内用履物（以下、実施例２の履物と略称する。）１Ｂは、図２と同様に、足Ｆの全体を被う底の浅い後半部開口の袋状に形成されており、その履口２が楕円形状に大きく形成されている。
【００６４】
この実施例２の履物１Ｂは、足Ｆの甲部を覆う上身頃３と、足Ｆの裏面全体及び足Ｆの両側部並びに踵後部Ｆａを覆う下身頃４とからなり、この上身頃３は和風模様がプリントされた綿生地で形成されており、この下身頃４の前半部に上身頃３を重ね合わせ、その各々の周縁部を縫着、接合されており、しかも、前記上身頃３は非伸縮性の生地で形成されており、一方、下身頃４は、この場合、その全体が、黒色のポリウレタン繊維製生地で形成されて面に沿った多方向に伸縮性を有するように構成されている。
【００６５】
そして、この実施例２の履物１Ｂにおいては、前記上身頃３と前記下身頃４においてその足Ｆの指部を収納する部位をＶ字状にカットし、その後、双方の生地のカット箇所を縫着して、親指とその他の指を収納し得る二股３ａに形成された、純和風調の風合いがある足袋のように形成されている。
【００６６】
この実施例２の履物１Ｂにおいて、その他の構成は、前記実施例１の履物１Ａの場合と同様なので、重複説明を避けるため省略する。
【実施例３】
【００６７】
次に、本発明の実施例３に係る室内用履物について説明する。
図４は本発明の実施例３に係る室内用履物１Ｃを示す斜視図である。
尚、図４において、図１と共通する個所には、図１に付されている符号と同一符号を付した。
【００６８】
図４に示すように、この実施例３の室内用履物（以下、実施例２の履物と略称する。）１Ｃは、図２と同様に、足Ｆの全体を被う底の浅い後半部開口の袋状に形成されており、その履口２が楕円形状に大きく形成されている。
【００６９】
この実施例３の履物１Ｃは、足Ｆの甲部を覆う上身頃３と、足Ｆの裏面全体及び足Ｆの両側部並びに踵後部Ｆａを覆う下身頃４とからなり、前記上身頃３は表面が銀色に着色されている繊維で形成された網目生地が使用されており、この下身頃４の前半部に上身頃３を重ね合わせ、その各々の周縁部を縫着、接合されており、しかも、前記上身頃３は非伸縮性の網目生地で形成されており、一方、下身頃４は、この場合、その全体が、黒色のポリウレタン繊維製生地で形成されて面に沿った多方向に伸縮性を有するように形成されている。
【００７０】
そして、この実施例３の履物１Ｃにおいては、銀色の網目生地が用いられているから、高級感があり、しかも現代的で野性味が発現するうえ、高い通気性と清涼感が得られる爽やかな夏向きのものとして最適に使用できるのである。
【００７１】
実施例３の履物１Ｃにおいて、その他の構成は、前記実施例１の履物１Ａの場合と同様なので、重複説明を避けるため省略する。
【図面の簡単な説明】
【００７２】
【図１】図１は、本発明の実施例１に係る室内用履物を示す斜視図である。
【図２】図２は、本発明の実施例１に係る室内用履物を足に着用した状態を示す側面図である。
【図３】図３は、本発明の実施例２に係る室内用履物を示す斜視図である。
【図４】図４は、本発明の実施例３に係る室内用履物を示す斜視図である。
【符号の説明】
【００７３】
１Ａ        実施例１の室内用履物
１Ｂ        実施例２の室内用履物
１Ｃ        実施例３の室内用履物
２          履口
３          上身頃
４          下身頃
４ａ        足の裏面に接触する部位
４ｂ、４ｅ  足の左右両側に接触する部位
４ｄ        踵後部に接触する部位
４ｅ        上端縁
５          縫合
【図１】
2006249586.tif 000003
【図２】
2006249586.tif 000004
【図３】
2006249586.tif 000005
【図４】
2006249586.tif 000006